(57)【要約】      （修正有）【課題】片手でワンタッチで着脱でき、必要に応じて胸元だけでなく、首廻りの日焼け止めもできるようにした日焼け止めカバーを提供する。【解決手段】胸元の日焼け止めを行う日焼け止めカバーにおいて、カバー本体は胸元を覆いうる大きさの２つ折り構造をなし、該２つ折り構造の折り返し部位に沿って挿通部１１を有し、該挿通部にはホルダーが挿通され、該ホルダーは使用者の首廻りの大きさの内径の環状をなすとともに途中に首挿通のための切除部を有し、片手で脱着し得る弾性となっており、上記ホルダーが使用者の首に装着されてカバー本体が胸元を覆うことによって胸元が日焼け止めされるようになっている。【選択図】図１
0003207648.tif 000002
【実用新案登録請求の範囲】
【請求項１】
胸元の日焼け止めを行う日焼け止めカバーにおいて、
カバー本体（１０）は胸元を覆いうる大きさの２つ折り構造をなし、該２つ折り構造の折り返し部位に沿って挿通部（１１）を有し、該挿通部（１１）にはホルダー（２０）が挿通され、該ホルダー（２０）は使用者の首廻りの大きさの内径の環状をなすとともに途中に首挿通のための切除部（２１）を有し、片手で脱着し得る弾性となっており、上記ホルダー（２０）が使用者の首に装着されてカバー本体（１０）が胸元を覆うことによって胸元が日焼け止めされるようになっていることを特徴とする日焼け止めカバー。
【請求項２】
上記カバー本体（１０）は挿通部（１１）から裏側の部分（１０Ｂ）が表側に向けて筒状に折り返されており、使用者の首を覆うことによって首が日焼け止めされるようになっている請求項１記載の日焼け止めカバー。
【考案の詳細な説明】
【技術分野】
【０００１】
本考案は日焼け止めカバーに関し、片手でワンタッチで着脱でき、必要に応じて胸元だけでなく、首廻りの日焼け止めもできるようにした日焼け止めカバーに関する。
【背景技術】
【０００２】
夏期には首から胸元にかけて日焼けすることが多く、自動車の運転中や屋外でのレジャー時には胸元や首廻りが直射日光に曝されると、日焼けが顕著であり、その対策が求められ、特に女性の場合にはその要望が大きい。
【０００３】
例えば、首から胸元を覆う大きさのカバー本体の両縁に雌雄の面ファスナーを設け、面ファスナーを相互に締着させて装着するようにした日焼け止めカバーが提案されている（特許文献１、特許文献２）。
しかし、かかる日焼け止めカバーは予め首に装着しておく必要があり、例えば車の運転中に日差しが強くなったからといって運転を行いながら日焼け止めカバーを首に装着することは難しい。
【０００４】
他方、カバー本体を首及び胸元を覆う大きさとし、首廻りに対応する部位にベルト通しを上下２段に設け、上側及び下側のベルト通しに可撓性を有する掛止めベルトを挿通し、掛止めベルトを首回りに装着して首から胸元を覆うようにした日焼け止めカバーが提案されている（特許文献３）。
【先行技術文献】
【特許文献】
【０００５】
【特許文献１】特開平０９−１１１５１８号公報
【特許文献２】実用新案登録第３１１６２９１号公報
【特許文献３】特開２００１−２７９５０８号公報
【考案の開示】
【考案が解決しようとする課題】
【０００６】
しかし、特許文献３記載の日焼け止めカバーは掛止めベルトを首廻りに装着すればよいので、例えば車の運転中に日差しが強くなったときに日焼け止めカバーを装着することができるものの、上下２段に掛通しベルトが設けられているので、首に装着するのに時間がかかって煩雑である。
【０００７】
本考案はかかる問題点に鑑み、片手でワンタッチで着脱でき、必要に応じて胸元だけでなく、首廻りの日焼け止めもできるようにした日焼け止めカバーを提供することを課題とする。
【課題を解決するための手段】
【０００８】
本考案に係る日焼け止めカバーは、胸元の日焼け止めを行う日焼け止めカバーにおいて、カバー本体は胸元を覆いうる大きさの２つ折り構造をなし、該２つ折り構造の折り返し部位に沿って挿通部を有し、該挿通部にはホルダーが挿通され、該ホルダーは使用者の首廻りの大きさの内径の環状をなすとともに途中に首挿通のための切除部を有し、片手で脱着し得る弾性となっており、上記ホルダーが使用者の首に装着されてカバー本体が胸元を覆うことによって胸元が日除け止めされるようになっていることを特徴とする。
【０００９】
本考案の特徴の１つはカバー本体を２つ折り構造となし、折り返し部位に挿通部を形成し、挿通部にほぼ環状のホルダーを挿通するようにした点にある。
これにより、ホルダーを挿入した挿通部を片手で持って首に押し付けると、ホルダーが拡径して首廻りに嵌まり込んで日焼け止めカバーを装着でき、カバー本体が胸元を覆うので、胸元を日焼け止めすることができる。
日焼け止めカバーを首から外す場合にはホルダーを挿入した挿通部を片手で持って引っ張ると、ホルダーが拡径して首廻りから外すことができ、こうして片手でワンタッチで着脱できる。
【００１０】
上述の場合には首廻りの日焼け止め効果が少ない。そこで、カバー本体の挿通部から裏側の部分を表側に向けて筒状に折り返し、この筒状の折り返し部分によって使用者の首を覆うことによって首を日除け止めするのがよい。
【００１１】
ここで、カバー本体は紫外線を遮断し減衰させる材料、例えば織布や不織布、樹脂製シートなどを用いることができる。
ホルダーは使用者の首廻りの大きさの内径の環状をなすとともに途中に首挿通のための切除部を有し、片手で脱着し得る弾性となっていればよく、例えばプラスチック製又は金属製のＣ字状ヘアバンド（商品名、カチューシャ）を用いることができる。
【図面の簡単な説明】
【００１２】
【図１】本考案に係る日焼け止めカバーの好ましい実施形態における使用例を示す斜視図である。
【図２】上記実施形態における使用方法を説明するための模式図である。
【図３】上記実施形態の構造を示す図である。
【考案を実施するための形態】
【００１３】
以下、本考案を図面に示す具体例に基づいて詳細に説明する。図１ないし図３は本考案に係る日焼け止めカバーの好ましい実施形態を示す。本例の日焼け止めカバーはカバー本体１０とホルダー２０とから構成されている。
【００１４】
カバー本体１０は図３に示されるように矩形状の織布３０が素材に用いられ、織布３０は対角線３０Ａで２つ折りにされ、２つ折り構造の折り返し部位には挿通部１１が縫合によって形成されることによって、表側部分１０Ａと裏側部分１０Ｂとからなる２つ折り構造のカバー本体１０が製作されている。
【００１５】
他方、ホルダー２０は使用者の首廻りの大きさの内径の環状をなすとともに途中に首挿通のための切除部２１が設けられ、プラスチック材料を用いることによって片手で脱着し得る弾性になっており、このホルダー２０はカバー本体１０の挿通部１１に挿通されている。
例えば、ホルダー２０にはプラスチック製のＣ字状ヘアバンドが用いられることができる。
【００１６】
本例の日焼け止めカバーを用いる場合、図２の（ａ）（ｂ）（Ｃ）に示されるように、カバー本体１０の裏側部分１０Ｂを表側に筒状に折り返す。
こうして準備ができると、ホルダー２０を挿通したカバー本体１０の挿通部１１を片手で持ってホルダー２０の切除部２１を前側から首に押し付けると、ホルダー２０が拡がって首廻りに嵌まり込むので、手を離すと図１に示されるように首から胸元に掛けてカバー本体１０で覆うことができる。
日焼け止めカバーを外す場合にはホルダー２０を挿通したカバー本体１０の挿通部１１を片手で持って引っ張ると、ホルダー２０が拡がって首廻りから外すことができる。
【００１７】
なお、首廻りの日焼け止めをしない場合には図２の（ａ）の状態で首廻りに装着すればよい。
【００１８】
以上のように、本例の日焼け止めカバーでは片手でワンタッチで着脱でき、必要に応じて胸元だけでなく、首廻りの日焼け止めもでき、自動車の運転中や屋外でのレジャー時に最適である。
【符号の説明】
【００１９】
１０      カバー本体
１０Ａ      表側部分
１０Ｂ      裏側部分
１１      挿通部
２０      ホルダー
【図１】
0003207648.tif 000003
【図２】
0003207648.tif 000004
【図３】
0003207648.tif 000005